(57)【特許請求の範囲】
【請求項１】
長尺部材の端部が落ち合うコーナー部に取り付けられて、該コーナー部の前面および内側面を覆うコーナー部材であって、
コーナー部に合わせた平面形状を持つコーナー前面板およびコーナー背面板と、
コーナー前面板およびコーナー背面板をそれぞれの入隅端縁にて架橋するコーナー内側面板とを備え、
コーナー前面板およびコーナー背面板の間に形成されている差込口に長尺部材の端部が差込可能となっており、差し込まれた長尺部材の端部前面をコーナー前面板が覆い、端部内側面をコーナー内側面板が覆い、また、
コーナー前面板の出隅端縁よりもコーナー背面板の出隅端縁が外方に突出しており、このコーナー背面板の突出板部にてネジ止め可能となっていることを特徴とするコーナー部材。
【請求項２】
差込口にて、コーナー前面板よりコーナー背面板が差込口内方に短くなって差込代が形成されていることを特徴とする請求項１記載のコーナー部材。
【請求項３】
差込口にて、コーナー背面板に長尺部材用のストッパーが設けられていることを特徴とする請求項１または２記載のコーナー部材。
【請求項４】
差込口にて、コーナー背面板に長尺部材用の仮固定部が設けられていることを特徴とする請求項１ないし３のいずれかに記載のコーナー部材。
【発明の詳細な説明】
【技術分野】
【０００１】
本願発明は、長尺部材の端部が落ち合うコーナー部を覆うコーナー部材に関するものである。
【背景技術】
【０００２】
従来、たとえば図８および図９に例示したように、長尺部材２ａ，２ｂの端部が落ち合うコーナー部には、コーナー部材１がしばしば取り付けられている。
【０００３】
このコーナー部材１は、現場での複雑な作業あるいは加工精度の必要とされる作業なしに、コーナー部を簡単に美しい外観に仕上げることを、その主な役割として担っており、図８の例ではコーナー部の前面を覆い、図９の例では前面とともに入隅の内側面を覆い、それぞれ、長尺部材２ａ，２ｂの端部を隠してコーナー部の外観性を向上させている。
【０００４】
コーナー部の前面のみを覆うコーナー部材は、たとえば下記特許文献１にも、外壁開口部に取り付けられた回り縁役物のカバー材が落ち合う隅角にて、水平垂直両方向のカバー材の端部表面を覆う「化粧部材」として開示されている。
【特許文献１】特開平１０−１０２７５５号公報
【発明の開示】
【発明が解決しようとする課題】
【０００５】
しかしながら、上記のとおりの従来のコーナー部材１は、長尺部材２ａ，２ｂの端部を覆い隠すものの、それ自身のコーナー部への取り付けを前面からのネジ３（リベットなども含む。以下同じ）の留め付けによって行っているため、ネジ３が美観を損ねる一要因になっている。
【０００６】
また、長尺部材２ａ，２ｂ端部のカバーを主な役割としているため、端部の加工バラツキを吸収することまでは考慮されていない。
【０００７】
そこで、以上のとおりの事情に鑑み、本願発明は、コーナー部の前面および内側面を覆う役割はそのままに、固定ネジが外観に現れないようにコーナー部に取り付けることができ、且つ、長尺部材の端部の加工バラツキをも吸収できるようにした、新しいコーナー部材を提供することを課題としている。
【課題を解決するための手段】
【０００８】
本願発明は、上記の課題を解決するものとして、第１には、長尺部材の端部が落ち合うコーナー部に取り付けられて、該コーナー部の前面および内側面を覆うコーナー部材であって、コーナー部に合わせた平面形状を持つコーナー前面板およびコーナー背面板と、コーナー前面板およびコーナー背面板をそれぞれの入隅端縁にて架橋するコーナー内側面板とを備え、コーナー前面板およびコーナー背面板の間に形成されている差込口に長尺部材の端部が差込可能となっており、差し込まれた長尺部材の端部前面をコーナー前面板が覆い、端部内側面をコーナー内側面板が覆い、また、コーナー前面板の出隅端縁よりもコーナー背面板の出隅端縁が外方に突出しており、このコーナー背面板の突出板部にてネジ止め可能となっていることを特徴とする。
【０００９】
第２には、前記コーナー部材において、差込口にて、コーナー前面板よりコーナー背面板が差込口内方に短くなって差込代が形成されていることを特徴とする。
【００１０】
第３には、前記コーナー部材において、差込口にて、コーナー背面板に長尺部材用のストッパーが設けられていることを特徴とする。
【００１１】
第４には、前記コーナー部材において、差込口にて、コーナー背面板に長尺部材用の仮固定部が設けられていることを特徴とする。
【発明の効果】
【００１２】
上記第１〜第３の発明によれば、上記のとおりのコーナー前面板およびコーナー背面板の間に形成された差込口に長尺部材の端部を差込可能としているので、長尺部材端部が差込口内に納まり、よって、端部の前面および内側面がそれぞれコーナー前面板およびコーナー内側面板によって覆い隠されるとともに、端部の加工バラツキが差込口にて吸収されるようになり、またさらに、上記のとおりのコーナー背面板の突出板部にて建物の躯体にネジ止め可能としているので、躯体の表面に化粧パネル等が施工される際に突出板部とともにネジも一緒に隠されることとなり、よって、施工後はネジが外観に全く現れず、従来のようにネジにより美観が損なわれることを防ぐことができる。
【発明を実施するための最良の形態】
【００１３】
図１（ａ）（ｂ）は、各々、本願発明の一実施形態を示したものである。
【００１４】
本実施形態のコーナー部材１は、コーナー前面板１１およびコーナー背面板１２とコーナー内側面板１３とにより構成されており、長尺部材２ａ，２ｂの端部が互いに落ち合うコーナー部に取り付けられて、コーナー部の前面および内側面を覆うものとなっている。
【００１５】
コーナー前面板１１は、一方の長尺部材２ａの端部を隠す第一平板片１１ａと、他方の長尺部材２ｂの端部を隠す第二平板片１１ｂとからなる、コーナー部に合わせた平面形状を有し、コーナー部材１の前面板を構成している。
【００１６】
コーナー背面板１２は、コーナー前面板１１の第一平板片１１ａよりも内方に引っ込んで短くなっている第一平板片１２ａと、コーナー前面板１１の第二平板片１１ｂよりも内方に引っ込んで短くなっている第二平板片１２ｂとからなる、コーナー部に合わせた平面形状を有し、コーナー部材１の背面板を構成している。
【００１７】
コーナー内側面板１３は、コーナー前面板１１の第一平板片１１ａおよび第二平板片１１ｂとコーナー背面板１２の第一平板片１２ａおよび第二平板片１２ｂとを互いに、それぞれの入隅端縁にて架橋し、コーナー部材１の入隅を形成する内側面板を構成している。
【００１８】
そして、コーナー前面板１１の第一平板片１１ａとコーナー背面板１２の第一平板片１２ａとの間には、一方の長尺部材２ａの端部を差込可能な差込口１４ａが形成され、コーナー前面板１１の第二平板片１１ｂとコーナー背面板１２の第二平板片１２ｂとの間には、他方の長尺部材２ｂの端部を差込可能な差込口１４ｂが形成されている。
【００１９】
これら差込口１４ａ，１４ｂでは、上記のとおりコーナー前面板１１の第一平板片１１ａおよび第二平板片１１ｂよりもコーナー背面板１２の第一平板片１２ａおよび第二平板片１２ｂの方が差込口１４ａ，１４ｂ内方に短くなっているため、その分の差込代Ａが形成されている（図１（ａ）参照）。
【００２０】
これにより、図１（ｂ）、図２、図４に例示したように、長尺部材２ａ，２ｂは、それぞれの端部が差込口１４ａ，１４ｂからコーナー前面板１１およびコーナー背面板１２間に差し込まれて、差込代Ａの分だけコーナー部材１内に入り込んだ状態となる。
【００２１】
この状態にて、各端部の前面は、コーナー前面板１１の第一平板片１１ａおよび第二平板片１１ｂによって覆い隠され、各端部の内側面は、コーナー内側面板１３によって覆い隠される。
【００２２】
そしてさらに、各端部の加工バラツキは、差込口１４ａ，１４ｂにて差込代Ａの分だけ吸収されることになる。たとえば、現場加工時に長尺部材２ａの端部が僅かに短く切断されたり斜めの切り口になったりしても、そのバラツキは差込代Ａの範囲で調整できる。
【００２３】
他方、本実施形態では、図１（ａ）および図２に例示したように、コーナー背面板１２の第一平板片１２ａおよび第二平板片１２ｂは、それぞれの出隅端縁（つまりコーナー内側面板１３により架橋されていない側の端縁）がコーナー前面板１１の第一平板片１１ａおよび第二平板片１１ｂの出隅端縁よりも外方に突出して、その突出代Ｂの幅だけ突出板部１２ｃが形成されている。
【００２４】
これにより、図２に例示したように、コーナー部材１を長尺部材２ａ，２ｂのコーナー部に取り付けた後、コーナー背面板１２の突出板部１２ｃにて、長尺部材２ａ，２ｂ周りの壁下地や骨組等の躯体４に対してネジ止めすることができ、よって、躯体４の表面に、たとえば図３に例示したように化粧パネル５が施工される際に、突出板部１２ｃとともにネジ３も一緒に隠されることとなる。
【００２５】
ところで、本実施形態では、図２、図５（ａ）〜（ｃ）、図６に例示したように、長尺部材２ａ，２ｂの端部が差込口１４ａ，１４ｂに差し込まれた際に差込代Ａよりもさらに奥に入り込むことを防ぐため、端部を止めるストッパー１２ｄがコーナー背面板１２に設けられている。
【００２６】
このストッパー１２ｄは、差込口１４ａ，１４ｂにおけるコーナー背面板１２の端縁から突出した板片で構成されており（図５（ａ）〜（ｃ）、図６参照）、差込口１４ａ，１４ｂに差し込まれた長尺部材２ａ，２ｂの端部が接触して、そこで止まるようになっている。
【００２７】
またこのとき、長尺部材２ａ，２ｂの端部を止めるだけでなく、たとえば図７に例示したように仮固定部１２ｅを設けて、仮固定する形態も可能である。
【００２８】
この仮固定部１２ｅは、上記ストッパー１２ｄの先端部を外方に、つまり長尺部材２ａ，２ｂの端部が差し込まれる方向とは逆方向に屈折させて、挿入口１２ｆを形成させた形状を有しており、差込口１４ａ，１４ｂから差し込まれた長尺部材２ａ，２ｂ端部の下端縁を挿入口１２ｆ内にて保持して仮固定するようになっている。
【００２９】
以上のとおりの本願発明のコーナー部材は、一例として、外壁等に設けられた開口部に窓６が嵌め込まれ（図２参照）、その窓６の金属枠となる長尺部材２ａ，２ｂのコーナー部に採用できる。もちろんこの他にも様々な長尺部材の端部が落ち合うコーナー部に採用できることは言うまでもない。
【図面の簡単な説明】
【００３０】
【図１】（ａ）（ｂ）は各々本願発明の一実施形態を示した斜視図。
【図２】本願発明の一実施形態を示した正面図。
【図３】本願発明の一実施形態を示した正面図。
【図４】本願発明の一実施形態を示した斜視図。
【図５】（ａ）〜（ｃ）は各々本願発明の一実施形態を示した側面図、正面図、側面図。
【図６】本願発明におけるストッパーについて説明するための図。
【図７】本願発明における仮固定部について説明するための図。
【図８】従来のコーナー部材の一例を示した斜視図。
【図９】従来のコーナー部材の別の一例を示した斜視図。
【符号の説明】
【００３１】
１  コーナー部材
１１  コーナー前面板
１１ａ  第一平板片
１１ｂ  第二平板片
１２  コーナー背面板
１２ａ  第一平板片
１２ｂ  第二平板片
１２ｃ  突出板部
１２ｄ  ストッパー
１２ｅ  仮固定部
１２ｆ  挿入口
１３  コーナー内側面板
１４ａ，１４ｂ  差込口
Ａ  差込代
Ｂ  突出代
２ａ，２ｂ  長尺部材
３  ネジ
４  躯体
５  化粧パネル
６  窓
【図１】
0004622743.tif 000002
【図２】
0004622743.tif 000003
【図３】
0004622743.tif 000004
【図４】
0004622743.tif 000005
【図５】
0004622743.tif 000006
【図８】
0004622743.tif 000007
【図９】
0004622743.tif 000008
【図６】
0004622743.tif 000009
【図７】
0004622743.tif 000010